(57)【要約】【課題】地上波デジタル放送信号より時刻情報を取得し、アナログ放送のテレテキスト信号中の時刻が誤っている場合に、テレテキスト信号中の時刻情報を地上波デジタル放送信号中から取得した時刻情報に差し替えて表示する。【解決手段】テレビジョン放送受信装置（ＴＶ）１０は、地上波アナログチューナ１１で受信したテレテキスト放送信号に含まれる時刻情報を抽出するテレテキストデコーダ１３、地上波デジタルチューナ１２で受信したデジタル放送信号に含まれる時刻情報を抽出するＤＶＢＴデコーダ１４、抽出した２つの時刻情報を比較する制御部１５、２つの時刻情報が異なっている場合、テレテキスト放送信号の時刻情報の代わりにデジタル放送信号の時刻情報をテレテキスト放送信号に重畳するＯＳＤコントローラ１６を備える。ＴＶ１０は、ＯＳＤコントローラ１６によりデジタル放送信号の時刻情報が重畳されたテレテキスト放送信号を表示部１７に表示する。【選択図】図１
2007158788.tif 000002
【特許請求の範囲】
【請求項１】
アナログ放送信号を受信するアナログ放送受信手段と、デジタル放送信号を受信するデジタル放送受信手段と、前記アナログ放送信号あるいは前記デジタル放送信号を表示する表示手段とを備えたテレビジョン放送受信装置において、前記アナログ放送信号に含まれる時刻情報を抽出する手段と、前記デジタル放送信号に含まれる時刻情報を抽出する手段と、前記抽出した２つの時刻情報を比較する比較手段と、該２つの時刻情報が異なっている場合、前記アナログ放送信号の時刻情報の代わりに前記デジタル放送信号の時刻情報を前記アナログ放送信号に関する表示画面上に重畳する時刻情報重畳手段とを備え、前記表示手段は、前記時刻情報重畳手段により前記デジタル放送信号の時刻情報が重畳された前記アナログ放送信号を表示することを特徴とするテレビジョン放送受信装置。
【請求項２】
請求項１に記載のテレビジョン放送受信装置において、前記時刻情報重畳手段は、前記アナログ放送信号の時刻情報を前記デジタル放送信号の時刻情報に差し替えた旨を通知するためのメッセージを前記アナログ放送信号に関する表示画面上に重畳することを特徴とするテレビジョン放送受信装置。
【請求項３】
請求項１に記載のテレビジョン放送受信装置において、前記時刻情報重畳手段は、前記アナログ放送信号の時刻情報を前記デジタル放送信号の時刻情報に差し替えた旨を通知するためのアイコンを前記アナログ放送信号に関する表示画面上に重畳することを特徴とするテレビジョン放送受信装置。
【請求項４】
請求項１に記載のテレビジョン放送受信装置において、前記時刻情報重畳手段は、前記アナログ放送信号の時刻情報を前記デジタル放送信号の時刻情報に差し替えたことを明示するために、前記差し替えたデジタル放送信号の時刻情報の表示形態を加工することを特徴とするテレビジョン放送受信装置。
【請求項５】
請求項１に記載のテレビジョン放送受信装置において、前記時刻情報重畳手段は、前記２つの時刻情報の差異の程度を示す情報を前記アナログ放送信号に重畳することを特徴とするテレビジョン放送受信装置。
【請求項６】
請求項１に記載のテレビジョン放送受信装置において、前記比較手段は、前記２つの時刻情報の差異が所定範囲内にあるかどうかを判定し、前記時刻情報重畳手段は、前記２つの時刻情報の差異が所定範囲を超えたと判定された場合、前記アナログ放送信号の時刻情報を前記デジタル放送信号の時刻情報に差し替えることを特徴とするテレビジョン放送受信装置。
【請求項７】
請求項１に記載のテレビジョン放送受信装置において、時刻を計時する計時手段を備え、該計時手段による時刻情報と前記デジタル放送信号の時刻情報とが異なっている場合、前記デジタル放送信号の時刻情報に基づいて前記計時手段の時刻情報を補正することを特徴とするテレビジョン放送受信装置。
【請求項８】
請求項１乃至７のいずれか１に記載のテレビジョン放送受信装置において、前記アナログ放送信号は、テレテキスト放送であって、前記デジタル放送信号は、地上波デジタル放送であることを特徴とするテレビジョン放送受信装置。
【請求項９】
アナログ放送信号を受信するアナログ放送受信手段と、デジタル放送信号を受信するデジタル放送受信手段と、前記アナログ放送信号あるいは前記デジタル放送信号を表示する表示手段とを備えたテレビジョン放送受信装置による時刻情報差替方法において、前記アナログ放送信号に含まれる時刻情報を抽出するステップと、前記デジタル放送信号に含まれる時刻情報を抽出するステップと、前記抽出した２つの時刻情報を比較するステップと、該２つの時刻情報が異なっている場合、前記アナログ放送信号の時刻情報の代わりに前記デジタル放送信号の時刻情報を前記アナログ放送信号に関する表示画面上に重畳するステップと、前記デジタル放送信号の時刻情報が重畳された前記アナログ放送信号を前記表示手段に表示するステップとを有することを特徴とする時刻情報差替方法。
【発明の詳細な説明】
【技術分野】
【０００１】
本発明は、テレビジョン放送受信装置及び時刻情報差替方法、より詳細には、テレテキスト（一般に欧州，アジア一部地域向け）放送を表示する際に、テレテキスト放送に含まれる時刻情報をデジタル放送に含まれる時刻情報で差し替え表示可能なテレビジョン放送受信装置及び該テレビジョン放送受信装置による時刻情報差替方法に関する。
【背景技術】
【０００２】
テレビジョン受信機等においては時計（タイマ）が内蔵されているが、電源電圧の変動や温度変化に起因して、内蔵時計に誤差が生じてしまう。この誤差は、長時間使用していくに従って、大きくなり無視できないレベルになるため、定期的あるいは任意のタイミングで内蔵時計の補正を行う必要があった。
【０００３】
従来、時刻情報の補正に関する技術としては、日本においては、時報に基づき内蔵タイマを修正する技術（ジャストクロック機能）が一般的であるが（例えば、特許文献１参照）、米国においては、放送局が放送するテレビジョン電波にＥＤＳ（Ｅｘｔｅｎｅｄ  Ｄａｔａ  Ｓｅｒｖｉｃｅ：拡張データサービス）信号と呼ばれる現在時刻を含む信号を放送し、テレビジョン受信機がその信号から現在時刻を取得し修正する技術（オートクロック機能）が用いられている（例えば、特許文献２参照）。
【０００４】
上記特許文献１に記載の発明は、時計が内蔵され多機能化されたテレビジョン受像機、ラジオ受信機、及びＶＴＲ等に用いられる受信装置において、放送局から送出される時報音信号を正確に検出して内蔵された時計の時刻を自動的に修正するようにしたものである。また、上記特許文献２に記載の発明は、クローズドキャプション情報と共に伝送されるＥＤＳ信号をデータパケットに構成し、各パケットには現在又は将来のビデオプログラムに関する情報と、ビデオプログラムのソースと、時刻などの雑多な情報とが収容されており、ＥＤＳ信号を復号してビデオシステムのオペレーションを制御するようにしたものである。
【０００５】
また、欧州、アジア一部地域においては、米国の方式に類似の技術（ＶＰＳ：Ｖｉｄｅｏ  Ｐｒｏｇｒａｍ  Ｓｙｓｔｅｍ）が採用され（例えば、特許文献３，４参照）、テレビジョン信号に多重されたテレテキスト信号から抽出した時刻情報に基づきテレビジョン受信機の内蔵タイマを修正する技術が用いられている。また、地上波デジタル放送中の時刻情報を用いて内蔵時計等の時刻情報を修正する技術も提案されている（例えば、特許文献５参照）。
【０００６】
上記特許文献３に記載の発明は、テレビジョン信号の垂直帰線消去期間に含まれる時刻情報、あるいは、テレテキスト信号に含まれる時刻情報を抽出し、これによりタイマ回路の時刻を更正し、更正された正確なタイマ回路の時刻をＣＲＴに表示するようにしたものである。また、上記特許文献４に記載の発明は、特定のチャンネルを選局したときに、チューナで受信した受信信号から時計データを取り出して時計カウント部に出力し、その時計データで時計カウントを開始し、時計表示部に表示するようにしたものである。
【０００７】
また、上記特許文献５に記載の発明は、時計機能を備えた周辺機器が接続された衛星デジタル放送受信機において、音声デジタル情報、映像デジタル情報、時刻情報などを含むトランスポートストリーム信号を受信し、受信したトランスポートストリーム信号に含まれる時刻情報を周辺機器で受信可能な形式で周辺機器に送信し、周辺機器の時計の時刻情報を修正するようにしたものである。
【０００８】
ここで、欧州やアジア一部地域では、上述したテレテキストを用いて字幕放送が行われている。同様に、日本では、文字多重放送を用いて番組の補助情報が字幕放送され、米国では、クローズドキャプションと言われる字幕放送が行われている。
【０００９】
このテレテキスト放送などの文字多重放送は、テレビ放送と同時に、文字や図形などのテキストデータを送るためのシステムである。テレビ放送の電波には、垂直帰線消去期間（垂直ブランキング期間）といって画像を伝送するのに使用していないすき間がある。このすき間を利用して文字や図形などの静止画番組を通常のテレビ放送と多重して送ることができる。番組の内容としては、例えば、字幕放送、ニュース放送、天気予報、株式情報などが提供されている。
【００１０】
欧州やアジアの一部地域においては、日米と違い、テレテキスト放送が１つの番組としてより積極的に用いられており、日常の情報を得る手段として深く浸透している。また、欧州においても日米と同様に、地上波デジタル放送が開始され、テレテキストなどのアナログ放送と地上波デジタル放送が併用されている。
【００１１】
上記のような状況において、新しい放送設備が導入され時刻情報等の管理も良好な地上波デジタル放送用機器と比較して歴史の長いアナログ放送用機器は、導入時期が古いものが多く、かつ、メンテナンスも良好と言えないのが実情である。このため、テレテキスト信号中の時刻情報と地上波デジタル放送信号中の時刻情報に差異が生じているケースもあり、広く普及しているテレテキスト放送から日常の情報を得る機会の多い欧州地域では誤った時刻情報のために支障をきたす場合もある。
【特許文献１】特公平７−２７０３７号公報
【特許文献２】特表平７−５０６４７５号公報
【特許文献３】特開平８−１９５９４１号公報
【特許文献４】特開平８−３３５３４２号公報
【特許文献５】特開２００２−２２８７８０号公報
【発明の開示】
【発明が解決しようとする課題】
【００１２】
しかしながら、テレテキスト信号に含まれる時刻情報は放送局側から送られてくるものであるため、この時刻情報を受信側で修正する手立てはこれまで講じられていなかった。この時刻情報が誤ったままであると、画面上に誤った時刻が表示されてしまう。特に、地域（国）によっては分単位で違いが生じる場合があり、テレテキストを日常利用している視聴者が正確な時間を把握できないという問題があった。
【００１３】
本発明は、上述のごとき実情に鑑みてなされたものであり、地上波デジタル放送信号より時刻情報を取得し、アナログ放送のテレテキスト信号中の時刻が誤っている場合には、テレテキスト信号中の時刻情報を地上波デジタル放送信号中から取得した時刻情報に差し替えて表示するテレビジョン放送受信装置及び該装置による時刻情報差替方法を提供すること、を目的とする。
【課題を解決するための手段】
【００１４】
上記課題を解決するために、本発明の第１の技術手段は、アナログ放送信号を受信するアナログ放送受信手段と、デジタル放送信号を受信するデジタル放送受信手段と、前記アナログ放送信号あるいは前記デジタル放送信号を表示する表示手段とを備えたテレビジョン放送受信装置において、前記アナログ放送信号に含まれる時刻情報を抽出する手段と、前記デジタル放送信号に含まれる時刻情報を抽出する手段と、前記抽出した２つの時刻情報を比較する比較手段と、該２つの時刻情報が異なっている場合、前記アナログ放送信号の時刻情報の代わりに前記デジタル放送信号の時刻情報を前記アナログ放送信号に関する表示画面上に重畳する時刻情報重畳手段とを備え、前記表示手段は、前記時刻情報重畳手段により前記デジタル放送信号の時刻情報が重畳された前記アナログ放送信号を表示することを特徴としたものである。
【００１５】
第２の技術手段は、第１の技術手段において、前記時刻情報重畳手段は、前記アナログ放送信号の時刻情報を前記デジタル放送信号の時刻情報に差し替えた旨を通知するためのメッセージを前記アナログ放送信号に関する表示画面上に重畳することを特徴としたものである。
【００１６】
第３の技術手段は、第１の技術手段において、前記時刻情報重畳手段は、前記アナログ放送信号の時刻情報を前記デジタル放送信号の時刻情報に差し替えた旨を通知するためのアイコンを前記アナログ放送信号に関する表示画面上に重畳することを特徴としたものである。
【００１７】
第４の技術手段は、第１の技術手段において、前記時刻情報重畳手段は、前記アナログ放送信号の時刻情報を前記デジタル放送信号の時刻情報に差し替えたことを明示するために、前記差し替えたデジタル放送信号の時刻情報の表示形態を加工することを特徴としたものである。
【００１８】
第５の技術手段は、第１の技術手段において、前記時刻情報重畳手段は、前記２つの時刻情報の差異の程度を示す情報を前記アナログ放送信号に重畳することを特徴としたものである。
【００１９】
第６の技術手段は、第１の技術手段において、前記比較手段は、前記２つの時刻情報の差異が所定範囲内にあるかどうかを判定し、前記時刻情報重畳手段は、前記２つの時刻情報の差異が所定範囲を超えたと判定された場合、前記アナログ放送信号の時刻情報を前記デジタル放送信号の時刻情報に差し替えることを特徴としたものである。
【００２０】
第７の技術手段は、第１の技術手段において、時刻を計時する計時手段を備え、該計時手段による時刻情報と前記デジタル放送信号の時刻情報とが異なっている場合、前記デジタル放送信号の時刻情報に基づいて前記計時手段の時刻情報を補正することを特徴としたものである。
【００２１】
第８の技術手段は、第１乃至第７のいずれか１の技術手段において、前記アナログ放送信号は、テレテキスト放送であって、前記デジタル放送信号は、地上波デジタル放送であることを特徴としたものである。
【００２２】
第９の技術手段は、アナログ放送信号を受信するアナログ放送受信手段と、デジタル放送信号を受信するデジタル放送受信手段と、前記アナログ放送信号あるいは前記デジタル放送信号を表示する表示手段とを備えたテレビジョン放送受信装置による時刻情報差替方法において、前記アナログ放送信号に含まれる時刻情報を抽出するステップと、前記デジタル放送信号に含まれる時刻情報を抽出するステップと、前記抽出した２つの時刻情報を比較するステップと、該２つの時刻情報が異なっている場合、前記アナログ放送信号の時刻情報の代わりに前記デジタル放送信号の時刻情報を前記アナログ放送信号に関する表示画面上に重畳するステップと、前記デジタル放送信号の時刻情報が重畳された前記アナログ放送信号を前記表示手段に表示するステップとを有することを特徴としたものである。
【発明の効果】
【００２３】
本発明によれば、精度の高い機器を用いて良好なメンテナンスの下に運用されている地上波デジタル放送信号より時刻情報を取得し、アナログ放送のテレテキスト信号中の時刻が誤っている場合には、テレテキスト信号中の時刻情報を地上波デジタル放送信号中から取得した時刻情報に差し替えて表示することができるため、テレテキスト放送番組の視聴時において常に正確な時刻情報を表示させることができる。
【発明を実施するための最良の形態】
【００２４】
図１は、本発明の一実施形態に係るテレビジョン放送受信装置の構成例を示すブロック図で、図中、１０はテレビジョン放送受信装置で、該テレビジョン放送受信装置１０は、地上波アナログ放送信号（以下、テレテキスト信号で代表する）を受信するための地上波アナログチューナ１１と、地上波デジタル放送信号を受信するための地上波デジタルチューナ１２と、地上波アナログチューナ１１で受信したテレテキスト信号をデコードするテレテキストデコーダ１３と、地上波デジタルチューナ１２で受信した地上波デジタル放送信号をデコードするＤＶＢ−Ｔ（Ｄｉｇｉｔａｌ  Ｖｉｄｅｏ  Ｂｒｏａｄｃａｓｔｉｎｇ  Ｔｅｒｒｅｓｔｒｉａｌ）デコーダ１４と、テレビジョン放送受信装置１０を構成する各部の動作を制御する制御部１５と、時刻を計時する計時手段１５ａと、テレテキスト信号あるいは地上波デジタル放送信号にオンスクリーン信号を重畳するＯＳＤコントローラ１６と、液晶ディスプレイ（ＬＣＤ：Ｌｉｑｕｉｄ  Ｃｒｙｓｔａｌ  Ｄｉｓｐｌａｙ）などの表示部１７とを備えて構成されている。
【００２５】
図１に示すテレビジョン放送受信装置１０によりテレテキスト信号を受信、表示する処理の一例を説明する。テレテキストデコーダ１３は、テレテキスト信号をデコードしてテレテキスト信号に含まれる時刻情報を抽出し、ＤＶＢ−Ｔ(Digital Video Broadcasting Terrestrial)デコーダ１４は、地上波デジタル放送信号をデコードして地上波デジタル放送信号に含まれる時刻情報を抽出する。地上波デジタル放送信号の場合、時刻情報はトランスポートストリームに含まれている。このトランスポートストリームには、映像符号化データ、音声符号化データ、クロックリファレンス（時刻情報）、番組特定情報（ＰＳＩ：Ｐｒｏｇｒａｍ  Ｓｐｅｃｉｆｉｃ  Ｉｎｆｏｒｍａｔｉｏｎ）／番組情報（ＳＩ：Ｓｅｒｖｉｃｅ  Ｉｎｆｏｒｍａｔｉｏｎ）、データ符号化信号などで構成されている。
【００２６】
制御部１５は、テレテキストデコーダ１３で抽出した時刻情報と、ＤＶＢ−Ｔ(Digital Video Broadcasting Terrestrial)デコーダ１４で抽出した時刻情報とを比較し、その結果、２つの時刻情報が異なると判定された場合、テレテキスト信号の時刻情報を地上波デジタル放送信号の時刻情報に差し替えるようにＯＳＤコントローラ１６に指示する。
【００２７】
ＯＳＤコントローラ１６は、本発明の時刻情報重畳手段に相当し、制御部１５からの指示に従って、テレテキスト信号の時刻情報を地上波デジタル放送信号の時刻情報に差し替えて、差し替えた地上波デジタル放送信号の時刻情報をテレテキスト信号に重畳する処理を行う。表示部１７は、ＬＣＤなどの表示手段であって、ＯＳＤコントローラ１６によって地上波デジタル放送信号の時刻情報が重畳されたテレテキスト信号を表示する。
【００２８】
一般に、地上波デジタル放送を送信するための放送局の設備は新しく、高い精度の機器が用いられ、良好なメンテナンスの下に運用されているため、地上波デジタル放送に含まれる時刻情報は正確である。これに対して、地上波アナログ放送であるテレテキスト放送に含まれる時刻情報は、放送局の設備のメンテナンスが十分でないことから、狂っていることが多い。
【００２９】
本発明のテレビジョン放送受信装置１０は、時刻情報を含むテレテキスト放送を表示する際に、地上波デジタル放送からも時刻情報を取得しておき、上記のように２つの時刻情報が異なる場合、テレテキスト放送の時刻情報は不正確と判定し、地上波デジタル放送の時刻情報に差し替えて表示する。一方、２つの時刻情報が同一であれば、テレテキスト放送の時刻情報は正確と判定し、そのテレテキスト放送の時刻情報をそのまま表示する。
【００３０】
なお、テレテキスト放送では、例えば、後述の図３に示すように画面右上に時刻情報を表示するようになっている。このテレテキスト放送に含まれる時刻情報が不正確な場合に、地上波デジタル放送の正確な時刻情報に差し替えられる。
【００３１】
また、正確な時刻情報を取得するためのデジタル放送は、地上波デジタル放送以外であってもよく、ＢＳデジタル放送、ＣＳデジタル放送などの衛星を利用したデジタル放送でもよい。この場合、衛星デジタル放送を受信、復号するためのチューナ、デコーダなどを備えておく必要がある。
【００３２】
また、本発明の他の実施形態として、テレテキスト放送の時刻情報と地上波デジタル放送の時刻情報の差異が所定範囲（例えば３０秒）内にあるかどうかを判定するようにしてもよい。この判定処理は制御部１５によって実行される。制御部１５は、２つの時刻情報の差異が所定範囲を超えたと判定した場合、時刻情報を地上波デジタル放送のものに差し替えるようにＯＳＤコントローラ１６に指示する。一方、上記差異が所定範囲内である場合、時刻情報の差し替えは行わず、テレテキスト放送の時刻情報をそのまま表示するようにＯＳＤコントローラ１６に指示する。
【００３３】
また、ユーザによってはテレテキスト放送を視聴する時間帯が大体決まっている場合がある。この場合、テレテキスト放送を視聴する時間帯を予め設定しておき、この時間帯だけ地上波デジタル放送の時刻情報に差し替える処理を行うようにしてもよい。
【００３４】
また、テレビジョン放送受信装置１０は、内部時計である計時手段１５ａを備えている。地上波デジタル放送の時刻情報に基づいて計時手段１５ａの補正を行うようにしてもよい。この場合、制御部１５は、計時手段１５ａによる時刻情報と、地上波デジタル放送の時刻情報とを比較し、両者が異なっている場合、地上波デジタル放送の時刻情報に基づいて計時手段１５ａの時刻情報を補正する処理を行う。
【００３５】
また、テレビジョン放送受信装置１０にＨＤＤ（ハードディスク）レコーダ、ＤＶＤレコーダなどの周辺機器が接続されている場合、計時手段１５ａにおいて補正された時刻情報に基づいて、上記周辺機器の時刻情報を同時に補正するようにしてもよい。これにより、テレビジョン放送受信装置１０及び周辺機器を含むシステムにおいて、正確な時刻情報が保持されるため、録画予約や視聴予約などを精度よく行うことができる。
【００３６】
図２は、図１に示したテレビジョン放送受信装置１０による時刻情報差替方法の一例を説明するためのフロー図である。まず、テレビジョン放送受信装置１０は、地上波アナログ（テレテキスト）信号を受信し（ステップＳ１）、受信したテレテキスト信号をデコードし（ステップＳ２）、時刻データを抽出する（ステップＳ３）。次に、地上波デジタル信号を受信し（ステップＳ４）、受信した地上波デジタル信号をデコードし、時刻データを取り出す（ステップＳ５）。
【００３７】
次に、テレビジョン放送受信装置１０は、ステップＳ３で抽出した時刻データと、ステップＳ５で取り出した時刻データとを比較し（ステップＳ６）、これら２つの時刻データが異なっているかどうかを判定し（ステップＳ７）、両者が異なっている場合（ＹＥＳの場合）、テレテキスト放送の時刻データを地上波デジタル放送の時刻データに差し替えて（ステップＳ８）、テレテキスト画面を表示する（ステップＳ９）。また、ステップＳ７において、両者が同じ場合（ＮＯの場合）、ステップＳ９に移行し、テレテキスト放送の時刻データをそのまま画面に表示する。
【００３８】
図３は、本発明の時刻情報差替方法により時刻が差し替えられた表示部１７の画面例を示す図で、図中、１８は地上波デジタル放送の時刻データ、１９はテレテキスト放送の時刻データを示す。時刻データ１８は「１２：（時）３４：（分）５６（秒）」、時刻データ１９は「１２：（時）３５：（分）５６（秒）」を示し、２つの時刻データは一致していないため、テレテキスト放送の元の時刻データ１９は、正確な時刻を示す時刻データ１８に差し替えられて表示部１７に表示される。この際、両者の時刻のずれの程度を示す情報を表示するようにしてもよい。例えば、本例の時刻データ１８と時刻データ１９は１分ずれていたため、「１分ずれていました。」などの文字を表示したり、ずれの程度をバー表示などで直感的にわかるようにしてもよい。
【００３９】
図４は、本発明の時刻情報差替方法の他の例を説明するためのフロー図である。まず、テレビジョン放送受信装置１０は、テレテキスト放送の時刻データを表示するかどうかを判断し（ステップＳ１１）、時刻データを表示させる場合（ＹＥＳの場合）、地上波デジタル放送とアナログ放送（テレテキスト放送）で時刻が異なっているかどうかを判断する（ステップＳ１２）。次に、ステップＳ１２で両者が異なっている場合（ＹＥＳの場合）、時刻表示の表示色を変更するなど時刻データの表示形態を加工し（ステップＳ１３）、地上波デジタル放送の時刻データに差し替えて（ステップＳ１４）、テレテキストデータを表示する（ステップＳ１５）。また、ステップＳ１１において、時刻データを表示させない場合（ＮＯの場合）、ステップＳ１５に移行して、テレテキストデータを表示する。
【００４０】
図５は、本発明の時刻情報差替方法により時刻が差し替えられた表示部１７の他の画面例を示す図で、図中、１８は地上波デジタル放送の時刻データを示す。本例において、表示部１７の画面にテレテキスト放送が表示され、さらに、差し替えられた時刻データ１８が画面右上に重畳されて表示されている。ここでは、時刻データ１８に差し替えられたことを明示するために、例えば、表示色の変更、下線引き、斜体化、文字サイズの変更など、時刻データの表示形態を加工するようにしている。
【００４１】
図６は、本発明の時刻情報差替方法の他の例を説明するためのフロー図である。まず、テレビジョン放送受信装置１０は、テレテキスト放送の時刻データを表示するかどうかを判断し（ステップＳ２１）、時刻データを表示させる場合（ＹＥＳの場合）、地上波デジタル放送とアナログ放送（テレテキスト放送）で時刻が異なっているかどうかを判断する（ステップＳ２２）。次に、ステップＳ１２で両者が異なっている場合（ＹＥＳの場合）、時刻を差し替えたことを表すアイコンなどを付加し（ステップＳ２３）、地上波デジタル放送の時刻データに差し替えて（ステップＳ２４）、テレテキストデータを表示する（ステップＳ２５）。また、ステップＳ２１において、時刻データを表示させない場合（ＮＯの場合）、ステップＳ２５に移行して、テレテキストデータを表示する。
【００４２】
図７は、本発明の時刻情報差替方法により時刻が差し替えられた表示部１７の他の画面例を示す図である。図７（Ａ）において、表示部１７の画面にテレテキスト放送が表示され、差し替えられた地上波デジタル放送の時刻データ１８が画面右上に重畳されて表示されている。さらに、時刻データ１８の近傍に時刻データが差し替えられたことを示すアイコン２０が付加されている。また、図７（Ｂ）において、表示部１７の画面にテレテキスト放送が表示され、差し替えられた地上波デジタル放送の時刻データ１８が画面右上に重畳されて表示されている。本例では、時刻データ１８の近傍に時刻データが差し替えられたことを示すメッセージ２１が付加されている。
【００４３】
図８は、時刻データの誤差範囲を設定するための設定画面の一例を示す図で、図中、２２は誤差範囲を入力するための入力欄を示す。テレビジョン放送受信装置１０のユーザは、リモコン等を操作することで、表示部１７に設定画面を表示させ、入力欄２２に所望の誤差範囲（例えば３０秒など）を入力し、「ＯＫ」キーを押下することで誤差範囲を設定する。テレビジョン放送受信装置１０は、上記により設定された誤差範囲に従って、１つの時刻データの差異が３０秒以内なら、テレテキスト放送の時刻データをそのまま表示し、一方、差異が３０秒を超えた場合、地上波デジタル放送の時刻データに差し替えて表示する。
【００４４】
以上説明したように、本発明によれば、精度の高い機器を用いて良好なメンテナンスの下に運用されている地上波デジタル放送信号より時刻情報を取得し、アナログ放送のテレテキスト信号中の時刻が誤っている場合には、テレテキスト信号中の時刻情報を地上波デジタル放送信号中から取得した時刻情報に差し替えて表示することができるため、テレテキスト放送番組の視聴時において常に正確な時刻情報を表示させることができる。
【図面の簡単な説明】
【００４５】
【図１】本発明の一実施形態に係るテレビジョン放送受信装置の構成例を示すブロック図である。
【図２】図１に示したテレビジョン放送受信装置による時刻情報差替方法の一例を説明するためのフロー図である。
【図３】本発明の時刻情報差替方法により時刻が差し替えられた表示部の画面例を示す図である。
【図４】本発明の時刻情報差替方法の他の例を説明するためのフロー図である。
【図５】本発明の時刻情報差替方法により時刻が差し替えられた表示部の他の画面例を示す図である。
【図６】本発明の時刻情報差替方法の他の例を説明するためのフロー図である。
【図７】本発明の時刻情報差替方法により時刻が差し替えられた表示部の他の画面例を示す図である。
【図８】時刻データの誤差範囲を設定するための設定画面の一例を示す図である。
【符号の説明】
【００４６】
１０…テレビジョン放送受信装置、１１…地上波アナログチューナ、１２…地上波デジタルチューナ、１３…テレテキストデコーダ、１４…ＤＶＢＴデコーダ、１５…制御部、１５ａ…計時手段、１６…ＯＳＤコントローラ、１７…表示部、１８，１９…時刻データ、２０…アイコン、２１…メッセージ、２２…入力欄。
【図１】
2007158788.tif 000003
【図２】
2007158788.tif 000004
【図３】
2007158788.tif 000005
【図４】
2007158788.tif 000006
【図５】
2007158788.tif 000007
【図６】
2007158788.tif 000008
【図７】
2007158788.tif 000009
【図８】
2007158788.tif 000010